(57)【要約】【課題】入力された同期信号にノイズが混入していても、安定して周波数もしくは周期、極性などの同期信号情報を取得する。【解決手段】入力される同期信号の入力端子１（ＳＹＮＣ）と、同期信号の立ち上がりパルス検出回路２と、立ち下りパルス検出回路３と、立ち上がり→立ち下がりパルス間隔カウンタ５と、立ち上がりパルス間隔カウンタ４と、比較ステートマシン６と、基準レジスタ（ＳＹＮＣ＿ＷＩＤ）７と、範囲内カクンタ８と、オーバーカウンタ９と、アンダーカウンタ１０と、同期信号出力１１とを含んで構成される。【選択図】  図１
2005006167.tif 000002
【特許請求の範囲】
【請求項１】
入力される同期信号から、同期信号の立ち上がりパルス信号又は立ち下がりパルス信号を検出する手段と、
前記立ち上がりパルス信号間の第１の時間間隔と立ち下がりパルス信号間の第２の時間間隔との少なくともいずれか一方を測定する手段と、
前記第１の時間間隔又は前記第２の時間間隔の時間軸上における連続性を検出するパルスカウンタ処理手段と
を有する同期信号情報取得回路。
【請求項２】
さらに、前記第１の時間間隔又は前記第２の時間間隔がある期待値以下である場合には前記パルスカウンタ処理手段による処理をスキップするスキップ手段を備えることを特徴とする請求項１に記載の同期信号情報取得回路。
【請求項３】
入力される同期信号から、同期信号の立ち上がりパルス信号又は立ち下がりパルス信号を検出する手段と、
前記立ち上がりパルス信号間の第１の時間間隔と立ち下がりパルス信号間の第２の時間間隔とをそれぞれ測定する手段と、
前記第１の時間間隔又は前記第２の時間間隔の時間軸上における連続性を検出するパルスカウンタ処理手段と、
前記第１の時間間隔と前記第２の時間間隔とのカウント値を比較するカウント値比較手段と
を備えたことを特徴とする同期信号取得回路。
【請求項４】
請求項３に記載の同期信号取得回路における前記カウント値比較手段による比較結果に基づいて同期信号の極性を判定する極性判定手段をさらに有する同期信号極性判定回路。
【請求項５】
請求項４に記載の極性判定手段の極性判定結果に基づいて、極性が反転する期間を垂直ブランキング期間として抽出する手段を備えたことを特徴とする垂直同期信号分離回路。
【請求項６】
複合同期信号中から水平同期信号を検出する方法であって、
立ち上がり又は立ち下がりパルス間の間隔をカウントするステップと、
前記立ち上がり又は立ち下がりパルスのタイミングにより前記カウントの値をラッチするステップと、
前記カウント値を繰り返し比較する手順と、
比較の結果に基づいて、長い期間連続して同様のカウント値が存在し、かつ、そのカウント値の絶対値が大きい期間を特定するステップと
を有する水平同期信号検出方法。
【発明の詳細な説明】
【０００１】
【発明の属する技術分野】
本発明は、同期信号の周波数測定、同期信号の極性判別、複合同期分離を行う回路に関する。
【０００２】
【従来の技術】
同期信号の周波数を測定する回路としては、例えば、同期信号パルスをトリガとして、ある一定の周波数のクロックを用いて同期信号の幅をカウントする手段を用いた回路がある。
【０００３】
極性判別を行う回路としては、例えば、同期信号のパルスをトリガとしてある程度の時間が経過した時点の同期信号のレベルを測定して極性を判断する手段を用いた回路がある（例えば、特許文献１参照）。また、例えば、同期信号の信号レベルが“１”のときと“０”のときの時間の長さをカウントしておき、その値を比較することにより極性を判断する手段を用いた回路がある。
【０００４】
また、複合同期分離を行う回路としては、例えば、信号極性により変化するアップダウンカウンタと閾値を設定することにより垂直同期を分離する手段がある（特許文献２参照）。
【０００５】
【特許文献１】
特開平７−７７９６４号公報
【特許文献２】
特開平５−２７６４０７号公報
【０００６】
【発明が解決しようとする課題】
従来の同期信号の周波数を測定する手段として、同期パルスをトリガとして周期をカウントする手段を用いると、例えば、同期信号にノイズがのった場合に、その時点でカウンタがリセットされてしまい、正常な同期信号周期を測定できなくなる可能性がある。また、複合同期信号など、ある一定期間に同期パルスの発生周期が変動する信号の場合、この手段を用いていると正常な同期信号周期を測定することが出来なくなる。
【０００７】
同期信号の極性を判別する手段として、同期パルスをトリガとしてある程度の時間が経過した時点での信号のレベルから極性を判断する手段を用いると、極性を判断する時点でノイズが発生していた場合、逆の極性として判断してしまう可能性があり、また、複合同期信号のように垂直同期パルス期間に同期信号の極性が逆転する場合には対応できない。
【０００８】
また、特許文献１に示される同期信号レベルの時間比較による極性判別では、同様にノイズが同期信号にのった場合と、複合同期信号のような信号の場合に、正常な極性判断が出来なくなる可能性がある。
【０００９】
【課題を解決するための手段】
本発明の一観点によれば、入力される同期信号から、同期信号の立ち上がりパルス信号又は立ち下がりパルス信号を検出する手段と、前記立ち上がりパルス信号間の第１の時間間隔と立ち下がりパルス信号間の第２の時間間隔との少なくともいずれか一方を測定する手段と、前記第１の時間間隔又は前記第２の時間間隔の時間軸上における連続性を検出するパルスカウンタ処理手段とを有する同期信号情報取得回路が提供される。このパルスカウンタ処理手段により、パルス間隔幅の変動に対応することができる。
【００１０】
本発明の他の観点によれば、入力される同期信号から、同期信号の立ち上がりパルス信号又は立ち下がりパルス信号を検出する手段と、前記立ち上がりパルス信号間の第１の時間間隔と立ち下がりパルス信号間の第２の時間間隔とをそれぞれ測定する手段と、前記第１の時間間隔又は前記第２の時間間隔の時間軸上における連続性を検出するパルスカウンタ処理手段と、前記第１の時間間隔と前記第２の時間間隔とのカウント値を比較するカウント値比較手段とを備えたことを特徴とする同期信号取得回路が提供される。また、この同期信号取得回路における前記カウント値比較手段による比較結果に基づいて同期信号の極性を判定する極性判定手段をさらに有する同期信号極性判定回路が提供される。この極性判定手段の極性判定結果に基づいて、極性が反転する期間を抽出することにより垂直ブランキング期間を検出する手段を備えたことを特徴とする垂直同期信号分離回路をえることもできる。
【００１１】
本発明の別観点によれば、複合同期信号中から水平同期信号を検出する方法であって、立ち上がり又は立ち下がりパルス間の間隔をカウントするステップと、前記立ち上がり又は立ち下がりパルスのタイミングにより前記カウントの値をラッチするステップと、前記カウント値を時系列的に繰り返し比較する手順と、比較の結果に基づいて、長い期間連続して存在し、かつ、カウント値の絶対値が大きい期間を特定するステップとを有する水平同期信号検出方法が提供される。
【００１２】
水平同期信号は、長い期間連続して存在し、かつ、カウント値の絶対値が大きい期間を特定することができ、これにより、ノイズなどが乗った場合でも正確に同期信号を抽出することができる。
【００１３】
【発明の実施の形態】
次に、本発明の実施の形態について図面を参照して詳細に説明する。図１は、本発明の一実施の形態による同期信号情報取得回路の回路構成例（ブロック図）である。図１に示すように、本実施の形態による同期信号情報取得回路は、入力される同期信号の入力端子１（ＳＹＮＣ）と、同期信号の立ち上がりパルス検出回路２と、立ち下りパルス検出回路３と、立ち上がり→立ち下がりパルス間隔カウンタ５と、立ち上がりパルス間隔カウンタ４と、比較ステートマシン６と、基準レジスタ（ＳＹＮＣ＿ＷＩＤ）７と、範囲内カクンタ８と、オーバーカウンタ９と、アンダーカウンタ１０と、同期信号出力１１とを含んで構成される。上記回路構成を参照しつつ各実施の形態について説明を行う。
【００１４】
まず、本発明の第１の実施の形態による同期信号情報取得回路の動作について説明を行う。図２は、本実施の形態による同期信号情報取得回路において、同期信号（ＣＳＹＮＣ）端子１から同期信号を入力したときのレベルの変化を時系列で示した図である。図２に示した期間は垂直ブランキング期間を模式的に示したものである。図２において、（ａ）の期間が通常の水平同期期間であり、（ｂ）の期間が前置等価パルス期間を示しており、（ｃ）の期間が切り込みパルス期間を示している。（ｄ）が後置等価パルス期間を示している。また、信号名Ｐ＿ＥＤＧＥは、同期信号の立ち上がりを検出したパルスであり、Ｎ＿ＥＤＧＥは立ち下がりを検出したパルスである。
【００１５】
まず、同期信号の立ち上がりを検出したパルスであるＰ＿ＥＤＧＥをトリガとして、ある一定周波数のクロックにより動作する立ち上がりパルス間隔カウンタ４を用いて、Ｐ＿ＥＤＧＥのパルス間の間隔をカウントし、Ｐ＿ＥＤＧＥのパルスにより、カウント値をＰＥ＿ＣＯＵＮＴとしてラッチする。同期信号の周期を測定する場合には、立ち上がりを基準にし、ＰＥ＿ＣＯＵＮＴの値と基準としたクロックの周期とを乗算すれば良い。
【００１６】
しかしながら、図２に示すように、複合同期信号においては、等価パルス期間（ｂ）、（ｄ）や切り込みパルス期間（ｃ）においてＰＥ＿ＣＯＵＮＴのタイミングは変化しており、このタイミングで同期信号の周期を測定した場合には正確な周期を求めることはできない。そこで、本実施の形態による回路においては、ＰＥ＿ＣＯＵＮＴの値を更新するたびに、前回の  ＰＥ＿ＣＯＵＮＴ  の値と今回の値を比較する手順を繰り返す。これにより、正確なパルス間隔カウントを得られるようにする。正確なパルス幅を得るためには、複合同期信号で通常の水平同期信号のみを出力している（ａ）の水平同期期間において、同期信号が安定して入力されていることを検出できれば、その期間におけるＰＥ＿ＣＯＵＮＴの値を正確なパルス間隔のカウント値として用いることができる。
【００１７】
図３は、時系列に沿って垂直同期１Ｖ期間分のＰＥ＿ＣＯＵＮＴのカウンタ値を示す図である。図３においては水平同期信号のみを出力しており、安定した同期信号を得られる期間（ａ）は、図３における期間（ｅ）に該当する。この期間を抽出すれば、正確なパルス間隔を得ることが出来る。図３に示す期間（ｅ）は、第１に、「１Ｖ期間において長い期間にわたって連続して存在し、」また、第２に「ＰＥ＿ＣＯＵＮＴの値が大きい値を示す期間」である。この第１及び第２の特徴を検出すれば、正確なパルス間隔のカウント値を得ることができる。
【００１８】
図４は、正確なパルス幅カウントを得るための手順を状態遷移図により示した図である。図１及び図４・図５に示すように、まず、水平同期信号期間（ｅ）と同期信号の安定状態とを検出するために、範囲内カウンタ（８）ＥＱ＿ＣＮＴと、オーバーカウンタ（９）ＯＶ＿ＣＮＴと、アンダーカウンタ（１０）ＵＤ＿ＣＮＴと、を用意する。また、基準レジスタ（７）の前回のＰＥ＿ＣＯＵＮＴを記憶しておくＳＹＮＣ＿ＷＩＤと、前回のＰＥ＿ＣＯＵＮＴに多少のマージンを考慮して設定する上限値ＵＰ＿ＬＩＭＩＴと下限値ＬＷ＿ＬＩＭＩＴとを設定する。各カウンタの使用法については後に説明する。
【００１９】
まず、状態ＳＴＡＴＥ  ０１において、ＰＥ＿ＣＯＵＮＴをＳＹＮＣ＿ＷＩＤにラッチし、比較対照用のデータを用意する。次に、ＳＴＡＴＥ  ０２において、上限値ＵＰ＿ＬＩＭＩＴと下限値ＬＷ＿ＬＩＭＩＴとを以下の式に基づいて用意する。
ＵＰ＿ＬＩＭＩＴ＝ＳＹＮＣ＿ＷＩＤ＋マージン値
ＬＷ＿ＬＩＭＩＴ＝ＳＹＮＣ＿ＷＩＤ−マージン値
【００２０】
次に、ＳＴＡＴＥ  ０３において、Ｐ＿ＥＤＧＥをトリガとして、次の新たなＰＥ＿ＣＯＵＮＴを取得する。次に、ＳＴＡＴＥ  ０４において、カウンタ値ＰＥ＿ＣＯＵＮＴとＳＴＡＴＥ  ０２で用意したレジスタ値ＵＰ＿ＬＩＭＩＴ、ＬＷ＿ＬＩＭＩＴとを比較し、前回のＰＥ＿ＣＯＵＮＴと今回のＰＥ＿ＣＯＵＮＴとの差がマージン内に収まっているか、或いはマージンを上回っているか、或いはマージンを下回っているかを調べる。この際、ＰＥ＿ＣＯＵＮＴの値が、ＵＰ＿ＬＩＭＩＴ以下であり、かつ、ＬＷ＿ＬＩＭＩＴ以上の値である場合は、前回の周期とほぼ同じ周期のパルスが入力されたことを示しており、オーバーカウンタＯＶ＿ＣＮＴとアンダーカウンタＵＤ＿ＣＮＴとの値をリセットし、次に、状態をＳＴＡＴＥ  Ａ１に遷移させる。上記の条件にＰＥ＿ＣＯＵＮＴ値が収まっていない場合は、同期幅が不安定の状態になったことを示すレジスタＳＹＮＣ＿ＳＴＡＢの値を０に設定し、次の状態をＳＴＡＴＥ  ０５（図５）に遷移させる。
【００２１】
図４に示すＳＴＡＴＥ  Ａ１においては、まず、何回連続してＳＴＡＴＥ  Ａ１へと状態が遷移してきたかをカウントするために、ＥＱ＿ＣＮＴの値を参照し、ＥＱ＿ＣＮＴの値が０であるならば、規定の回数だけＳＴＡＴＥ  Ａ１に状態が遷移してきたことを示しており、この場合は、次のＳＴＡＴＥ  Ａ２に遷移する。ＥＱ＿ＣＮＴの値が０以外であるならば、ＥＱ＿ＣＮＴの値を−１してＳＴＡＴＥ  ０３に戻り、このループを繰り返す。ＥＱ＿ＣＮＴの回数を適当な値（図３における（ｅ）の範囲内に収まり、（ｆ）を超える値）に設定しておけば、最も安定した期間のパルス周期のＰＥ＿ＣＯＵＮＴを取得することができる。
【００２２】
ＳＴＡＴＥ  Ａ２では、ＰＥ＿ＣＯＵＮＴの各ビット値が全て“１”になっているか否かを確認する。全て“１”であるということは、例えば信号が入力されていないなどの理由でカウンタオーバーしていることを示している。信号の周期として取得することができないため、ＳＴＡＴＥ  ０３に遷移を戻す。全て“１”でない場合は、ＳＴＡＴＥ  Ａ３へと遷移する。
【００２３】
ＳＴＡＴＥ  Ａ３においては、ＰＥ＿ＣＯＵＮＴの値が最低限の周期以上であるか否かを確認する。最低周期を示すレジスタＳＹＮＣ＿ＭＩＮを用意しておき、この値と比較してＰＥ＿ＣＯＵＮＴの値が満たない場合は、ＳＴＡＴＥ  ０３へと遷移を戻す。条件を満たしている場合は、ＳＴＡＴＥ  Ａ４へと遷移を移す。
【００２４】
ＳＴＡＴＥ  Ａ４においては、同期幅が安定したことを示すため、ＳＹＮＣ＿ＳＴＡＢの値を“１”にして、ここで初めて、同期信号の幅ＰＥ＿ＣＯＵＮＴの値を確定値として出力する。ＳＴＡＴＥ  ０４からＳＴＡＴＥ  ０５へと遷移が移った場合は、ＰＥ＿ＣＯＵＮＴの値がＵＰ＿ＬＩＭＩＴの値を上回っていれば、ＥＱ＿ＣＮＴとＵＤ＿ＣＮＴの値をリセットしＳＴＡＴＥ  Ｂ１へと遷移し、ＵＤ＿ＬＩＭＩＴより下回っていれば、ＥＱ＿ＣＮＴとＯＶ＿ＣＮＴの値をリセットしＳＴＡＴＥ  Ｃ１へと遷移する。
【００２５】
ＳＴＡＴＥ  Ｂ１では、基準となっている周期よりＰＥ＿ＣＯＵＮＴが上回った状態が何回連続で続いたかを参照する。ＯＶ＿ＣＮＴの値が“０”であるならば、異なる周期の信号が連続していることを示すため、基準信号を変更するためにＳＴＡＴＥ  ０１へと遷移する。ＯＶ＿ＣＮＴの値が“０”以外であるならば、ＯＶ＿ＣＮＴの値を−１にしてＳＴＡＴＥ  ０３へと遷移する。周期が大きくなる分については、ノイズか図３で示している期間（ｆ）から期間（ｅ）へと移ったことを示すため、カウンタ値をそれほど大きくとる必要はない。
【００２６】
ＳＴＡＴＥ  Ｃ１では、基準となっている周期よりＰＥ＿ＣＯＵＮＴが下回った状態が何回連続で続いたかを参照する。ＵＤ＿ＣＮＴの値が“０”であれば、異なる周期の信号が連続していることを示すので、基準信号を変更するためにＳＴＡＴＥ  ０１へと遷移を戻す。ＵＤ＿ＣＮＴの値が“０”以外であるならば、ＵＤ＿ＣＮＴの値を−１して、ＳＴＡＴＥ  ０３へ遷移する。周期が小さくなるということは、ノイズか図３で示している期間（ｅ）から期間（ｆ）へと移ったことを示すので、カウンタ値を期間（ｆ）を上回る値で設定しておくことにより、期間（ｅ）の周期を安定して取得できるようになる。
【００２７】
全体的な流れと図３も参照しつつ説明すると、ＰＥ＿ＣＯＵＮＴと基準となるＳＹＮＣ＿ＷＩＤとの差がマージン内に収まっている場合をＳＴＡＴＥ  Ａ１として、その状態が長く続けば図３における期間（ｅ）である可能性が高くなる。ＳＴＡＴＥ  Ａ１に何回連続して遷移してきたかを範囲内カウンタＥＱ＿ＣＮＴに記録しておけば、期間（ｅ）の状態であるかどうかを類推できる。具体的には、図３における期間（ｅ）以外の部分である期間（ｆ）がとり得るカウント値を想定し、ＥＱ＿ＣＮＴが、その値を十分に上回る値に達した場合に、期間（ｅ）の値であると判断すれば良い。そのときのＰＥ＿ＣＯＵＮＴもしくはＳＹＮＣ＿ＷＩＤの値が、その複合同期信号における水平同期信号の正確なパルス間隔カウント値となる。
【００２８】
また、ＳＴＡＴＥ  ０４での比較処理のおける差が上回っていればＳＴＡＴＥ  Ｂ１に、下回っていればＳＴＡＴＥ  Ｃ１に遷移する。通常、一定の同期信号が入力されている場合、上回っていると言う状態は期間（ｆ）から期間（ｅ）に移行する場合である。まれに、上回ることが出てくるが長くは続かない。上回った連続回数をＥＱ＿ＣＮＴと同様にＯＶ＿ＣＮＴでチェックすることにより、基準信号となるＳＹＮＣ＿ＷＩＤの訂正が出来るようになる。また、下回る状態は、通常、期間（ｅ）から期間（ｆ）に移行した場合であり、等価パルスや切り込みパルスの影響で通常の水平同期周期よりＰＥ＿ＣＯＵＮＴの値が減少した状態である。
【００２９】
下回った状態において基準信号ＳＹＮＣ＿ＷＩＤを変更してしまうわけには行かないため、下回った状態の連続回数は期間（ｆ）を考慮して多めに見積もり、下回った連続回数をＥＱ＿ＣＮＴと同様にＵＤ＿ＣＮＴでチェックすることにより、期間（ｆ）で同期信号が安定した状態にならないようにする。以上、図４、図５に示される手順によれば、複合同期信号が入力されても正確な水平同期信号周期を測定できる回路を構成することが出来る。
【００３０】
尚、上記において説明した回路に入力する同期信号は、複合同期信号の測定に限定されるものではなく、通常の水平同期信号を入力した場合でも、正確な水平同期信号周期を測定することができる。また、同期信号の立ち下がりを基準とし、Ｎ＿ＥＤＧＥ，ＮＥ＿ＣＯＵＮＴを使用しても正確な水平同期信号を実現することができる。
【００３１】
次に、本発明の第２の実施の形態による同期信号情報取得回路について図面を参照しつつ説明を行う。本発明の第１の実施の形態においては、同期信号にノイズが混入する場合であって例えばコピーガード信号のような長期間にわたるノイズ信号が混入する場合において、期間（ｅ）側にノイズが混入するには問題にはならないが、期間（ｆ）側にノイズが混入すると、期間（ｆ）の全体の期間が長くなり、通常アンダーカウンタＵＤ＿ＣＮＴによりチェックする値を上回り、基準信号ＳＹＮＣ＿ＷＩＤが期間（ｆ）のＰＥ＿ＣＯＵＮＴになってしまう可能性がある。
【００３２】
そこで、ＳＴＡＴＥ  ０１、ＳＴＡＴＥ  ０３でのＰＥ＿ＣＯＵＮＴ取得時に、同期信号パルス間隔としては通常選択しないような小さい値を閾値として設定しておき、この閾値に満たない値が得られた場合には、ＥＱ＿ＣＮＴ、ＯＶ＿ＣＮＴ、ＵＤ＿ＣＮＴのカウントを行わないようにすることによりカウント増加を防ぎ、第１の実施の形態の場合と同様に、正確な水平同期信号周期を測定できるようにすることができる。
【００３３】
次に、本発明の第３の実施の形態による同期情報取得回路について説明する。上記第１又は第２の実施の形態においては、Ｐ＿ＥＤＧＥ、ＰＥ＿ＣＯＵＮＴを取得する際に、同期信号の立ち下がりを検出するパルスＮ＿ＥＤＧＥと、Ｐ＿ＥＤＧＥからＮ＿ＥＤＧＥまでをＰＥ＿ＣＯＵＮＴと同様にカウントするＰＮ＿ＣＯＵＮＴというカウンタを用意すれば、期間（ｅ）において検出した時点で、（ＰＥ＿ＣＯＵＮＴ−ＰＮ＿ＣＯＵＮＴ）とＰＮ＿ＣＯＵＮＴとの値の大小を比較することにより、入力されている同期信号の極性を判別することができる。
すなわち、（ＰＥ＿ＣＯＵＮＴ−ＰＮ＿ＣＯＵＮＴ）がＰＮ＿ＣＯＵＮＴより小さければ、負極性であり、（ＰＥ＿ＣＯＵＮＴ−ＰＮ＿ＣＯＵＮＴ）がＰＮ＿ＣＯＵＮＴより大きければ正極性である。又は、期間（ｅ）の時点で、ＳＹＮＣ＿ＷＩＤの半分の値をＰＥ＿ＣＯＵＮＴが示したときの同期信号のレベルを測定することで同期信号の極性を判別することもできる。すなわち、同期信号のレベルが“０”であれば正極性であり、同期信号のレベルが“１”であれば負極性と判断される。
【００３４】
次に、本発明の第４の実施の形態による同期信号情報取得回路について、説明する。第１の実施の形態による同期信号情報取得回路においては、期間（ｅ）においてＳＹＮＣ＿ＷＩＤが設定された場合、期間（ｆ）というのは、いわゆる垂直ブランキング期間に当たり、図４におけるステートマシンでは、ＳＴＡＴＥ  Ｃ１でのループ内にいることになる。このループ内で、上記第３の実施の形態のように極性判別を行えば、複合同期信号内で極性が反転する期間が出てくる。この期間が、複合同期信号に含まれる垂直同期信号パルスであり、これを抽出することで複合同期信号から垂直同期信号を分離することが出来る。
以上、本発明に関して実施の形態に沿って説明を行ったが、本発明はこれらの例に限定されるものではなく、種々の変形が可能であるのは言うまでもない。
【００３５】
【発明の効果】
以上説明したように、本発明によれば、入力された同期信号にノイズが混入していても、安定して周波数もしくは周期、極性などの同期信号情報を取得することができ、また、複合同期信号から垂直同期信号を安定して分離することもできるという利点がある。
【図面の簡単な説明】
【図１】本発明の一実施の形態による同期信号情報取得回路の構成例を示すブロック図である。
【図２】本発明の一実施の形態による同期信号情報取得回路の動作を示すタイミングチャート図である。
【図３】複合同期信号の１Ｖ期間中におけるＰＥ＿ＣＯＵＮＴの時間変化を示す図である。
【図４】本発明の一実施の形態による同期信号情報取得回路の動作を示すフローチャート図である。
【図５】図４に続く図である。
【符号の説明】
２…立ち上がりパルス検出器、３…立ち下がりパルス検出器、４…立ち上がりパルス間隔カウンタ、５…立ちあがり→立ち下がりパルス間隔カウンタ、６…比較／ステートマシン、７…基準レジスタ、８…範囲内カウンタ、９…オーバーカウンタ、１０…アンダーカウンタ、（ａ）…複合同期信号の水平同期信号期間、（ｂ）…複合同期信号の前置等価パルス期間、（ｃ）…複合同期信号の切り込みパルス期間、（ｄ）…複合同期信号の後置等価パルス期間、（ｅ）…複合同期信号の水平同期信号期間、（ｆ）…複合同期信号の等価パルス、切り込みパルス期間。
【図１】
2005006167.tif 000003
【図２】
2005006167.tif 000004
【図３】
2005006167.tif 000005
【図４】
2005006167.tif 000006
【図５】
2005006167.tif 000007